(57)【要約】【課題】電子番組案内情報などのサービス情報の更新が短時間で済むようにしている。【解決手段】受信チャンネル制御部は、複数局のチャンネルを選択的に選局するように受信部を制御する。サービス情報保存部は、複数局のチャンネルの番組に関するサービス情報を保存する。特定局検索部は、受信部から得られたチャンネルに含まれる所定の管理情報を解析し、サービス情報として自局と他局のサービス情報を送信している特別局であるかどうかを検索する。第1の更新部は、特別局のチャンネルの受信状態のとき当該チャンネルに含まれる複数局のサービス情報を取得し、前記サービス情報保存部の各局のサービス情報を更新する。第２の更新部は、自局と他局のサービス情報を送信している特別局がなかった場合、複数局をそれぞれ選択的に選局して、前記サービス情報保存部の各局のサービス情報を更新する。【選択図】図１
2010206387.tif 000002
【特許請求の範囲】
【請求項１】
放送信号を受信する受信部と、
前記受信部が複数局のチャンネルを選択的に選局するように該受信部を制御する受信チャンネル制御部と、
前記複数局のチャンネルの番組に関するサービス情報を保存するサービス情報保存部と、
前記受信部の受信チャンネルが切り替えられたとき前記受信部から得られたチャンネルに含まれる所定の管理情報を解析し、前記サービス情報として自局と他局のサービス情報を送信している特別局であるかどうかを検索する特定局検索部と、
前記特別局のチャンネルの受信状態のとき当該チャンネルに含まれる複数局のサービス情報を取得し、前記サービス情報保存部の各局のサービス情報を更新する第1の更新部と、
自局と他局のサービス情報を送信している特別局がなかった場合、複数局をそれぞれ選択的に選局して、前記サービス情報保存部の各局のサービス情報を更新する第2の更新部とを有することを特徴とする情報更新方法を改善した映像信号処理装置。
【請求項２】
前記サービス情報は電子番組案内情報であることを特徴とする請求項1記載の映像信号処理装置。
【請求項３】
さらに表示制御部を有し、この表示制御部は、操作入力が与えられたとき前記サービス情報保存部の電子番組案内情報を映像表示部に出力することを特徴とする請求項１記載の映像信号処理装置。
【請求項４】
メモリと放送信号を受信する受信部を制御する制御部を有した映像信号処理装置の制御方法において、
前記受信部が複数局のチャンネルを選択的に選局するように該受信部を制御し、
前記受信部の受信チャンネルが切り替えられたとき前記受信部から得られたチャンネルに含まれる所定の管理情報を解析し、サービス情報として自局と他局のサービス情報を送信している特別局であるかどうかを検索し、
前記特別局のチャンネルの受信状態のとき当該チャンネルに含まれる複数局のサービス情報を取得し、サービス情報保存部の各局のサービス情報を更新し、
自局と他局のサービス情報を送信している特別局がなかった場合、複数局をそれぞれ選択的に選局して、前記サービス情報保存部の各局のサービス情報を更新する
ことを特徴とする映像信号処理装置の制御方法。
【発明の詳細な説明】
【技術分野】
【０００１】
本発明は情報更新方法を改善した映像信号処理装置及びその制御方法に関し、例えば番組案内情報（EPGインフォメーション）を更新する場合に有効な方法を改良した装置である。
【背景技術】
【０００２】
近年のデジタルテレビジョン放送受信装置（放送受信装置と略記する）は、映像・音声信号だけでなく、サービス情報（放送や番組に関する情報）を受信し、視聴者に該サービス情報を提示する機能を有する。サービス情報の一例として電子番組案内情報がある。電子番組案内情報は、放送受信装置が受信しているチャンネルで送信されてくる。今、放送受信装置がAチャンネルを受信しているとすると、通常は、Aチャンネルで放送される各種番組に関する電子番組案内情報が送信されてくる。
【０００３】
放送受信装置が、複数のチャンネルの各種番組に関する電子番組案内情報を欲しい場合、それぞれのチャンネルの受信状態に切替えて、各チャンネルの電子番組案内情報を取得しなければならない。このような機能を実現するために特許文献１がある。
【０００４】
この特許文献１ではつぎのような技術が開示されている。放送受信装置は、非受信状態のときに各局（各チャンネル）の電子番組案内情報を自動取得し蓄積する。非受信状態とは、例えばスタンバイ状態にあるときである。各局の電子番組案内情報を自動取得するためには、各局の放送波を受信すべく、受信チャンネルを切替えている。
【先行技術文献】
【特許文献】
【０００５】
【特許文献１】WO2003/105468公報(US2005/0193415 A1に対応)
【発明の概要】
【発明が解決しようとする課題】
【０００６】
各局の電子番組案内情報を取得するためには、放送受信装置の空き時間を設け、各チャンネルの受信状態に切り替え、切り替える毎に電子番組案内情報を取得する必要がある。このために各局全ての電子番組案内情報を更新するには時間がかかる。
【０００７】
本発明は電子番組案内情報などのサービス情報の更新が短時間で済むようにした情報更新方法を改善した映像信号処理装置及びその制御方法を提供することを目的とする。
【課題を解決するための手段】
【０００８】
上記の課題を解決するために、本発明は、受信部と、前記受信部が複数局のチャンネルを選択的に選局するように該受信部を制御する受信チャンネル制御部と、前記複数局のチャンネルの番組に関するサービス情報を保存するサービス情報保存部と、前記受信部の受信チャンネルを切り替えしながら、前記受信部から得られたチャンネルに含まれる所定の管理情報を解析し、サービス情報として自局と他局のサービス情報を送信している特別局であるかどうかを検索する特定局検索部と、前記特別局のチャンネルの受信状態のとき当該チャンネルに含まれる複数局のサービス情報を取得し、前記サービス情報保存部の各局のサービス情報を更新する第1の更新部と、自局と他局のサービス情報を送信している特別局がなかった場合、複数局をそれぞれ選択的に選局して、前記サービス情報保存部の各局のサービス情報を更新する第２の更新部とを有することを特徴とする。
【発明の効果】
【０００９】
本発明は自局と他局のサービス情報を送信している特別局があった場合、当該特別局のチャンネルの受信状態のとき複数局のサービス情報を一挙に取得し、サービス情報保存部の各局のサービス情報を更新する第1の更新部を有する。このためにサービス情報の更新が効率的に行えるという効果を奏する。
【図面の簡単な説明】
【００１０】
【図１】本発明の一実施例に係る装置のブロック構成図である。
【図２】図１のリモートコントローラの概観を示す説明図である。
【図３】上記したデジタルテレビジョン放送受信装置の特徴的な動作例を説明するフローチャートである。
【図４】ユーザ操作に基づいて番組案内情報更新が実行されるとき本発明装置の表示部に現れるグラフィックユーザインターフェース（GUI)の例を示す図である。
【図５】本発明の特徴的な他の動作例を説明するフローチャートである。
【発明を実施するための形態】
【００１１】
以下、本発明の実施の形態について、詳細に説明する。まずこの発明が適用されたデジタルテレビジョン放送受信装置について概要を説明する。
【００１２】
図１は、上記デジタルテレビジョン放送受信装置４１の主要な信号処理系を示している。すなわち、ＢＳ／ＣＳデジタル放送受信用のアンテナ４３で受信した衛星デジタルテレビジョン放送信号は、入力端子４４を介して衛星デジタル放送用のチューナ４５に供給されることにより、所望のチャンネルの放送信号が選局される。
【００１３】
チューナ４５で選局された放送信号は、ＰＳＫ（Phase Shift Keying）復調器４６に供給されて、デジタルの映像信号及び音声信号に復調された後、信号処理部４７に出力される。
【００１４】
また、地上デジタル放送受信用のアンテナ４８で受信した地上デジタルテレビジョン放送信号は、入力端子４９を介して地上デジタル放送用のチューナ５０に供給されることにより、所望のチャンネルの放送信号が選局される。
【００１５】
チューナ５０で選局された放送信号は、ＯＦＤＭ（Orthogonal Frequency Division Multiplexing）復調器５１に供給されて、デジタルの映像信号及び音声信号に復調された後、信号処理部４７に出力される。
【００１６】
また地上波アナログ信号を受信するアナログチューナ５８も設けられている。アナログチューナ５８で受信された信号は、アナログ復調器５９で復調され信号処理部４７に出力される。
【００１７】
ここで信号処理部４７は、ＰＳＫ復調器４６から供給されたデジタルの映像信号及び音声信号と、ＯＦＤＭ復調器５１から供給されたデジタルの映像信号及び音声信号と、アナログ復調器５９から供給された映像信号及び音声信号と、さらにライン入力端子からの映像信号及び音声信号とに対して、選択的に所定のデジタル信号処理を施し、グラフィック処理部５２及び音声処理部５３に出力している。
【００１８】
このうち、グラフィック処理部５２は、信号処理部４７から供給されるデジタルの映像信号に、ＯＳＤ（On Screen Display）信号生成部５４で生成されるＯＳＤ信号を重畳して出力する機能を有する。また、このグラフィック処理部５２は、信号処理部４７の出力映像信号と、ＯＳＤ信号生成部５４の出力ＯＳＤ信号とを選択的に出力すること、また、両出力を多重したり、画面の半分を構成するように組み合わせて出力することができる。
【００１９】
グラフィック処理部５２から出力されたデジタルの映像信号は、映像処理部５５に供給される。この映像処理部５５は、入力されたデジタルの映像信号を、映像表示部５７で表示可能なフォーマットのアナログ映像信号に変換し、映像表示部５７に出力して映像表示させる。
【００２０】
上記音声処理部５３は、入力されたデジタルの音声信号を、スピーカ５６で再生可能なフォーマットのアナログ音声信号に変換し、スピーカ５６に出力して音声再生させる。
【００２１】
ここで、このデジタルテレビジョン放送受信装置１１は、上記した各種の受信動作を含むその全ての動作を制御部６１によって統括的に制御されている。
【００２２】
制御部６１は、ＣＰＵ（Central Processing Unit）等を内蔵している。操作部７１からの操作情報を受けたとき、または、リモートコントローラ７２から送出された操作情報を受光部７３から受信したとき、制御部６１は、その操作内容が装置に反映されるように各部を統括して制御している。
【００２３】
この場合、制御部６１は、主として、そのＣＰＵが実行する制御プログラムを格納したＲＯＭ（Read Only Memory）６１１と、該ＣＰＵに作業エリアを提供するＲＡＭ（Random Access Memory）６１２と、各種の設定情報及び制御情報等が格納される不揮発性メモリ６１３とを利用している。
【００２４】
制御部６１は、カードＩ／Ｆ（Interface）７５を介して、第１のメモリカード７７が装着可能なカードホルダ７６に接続されている。これによって、制御部６１は、カードホルダ７６に装着された第１のメモリカード７７と、カードＩ／Ｆ７５を介して情報の送受信を行なうことができる。
【００２５】
制御部６１は、図示していないが、さらに別のカードＩ／Ｆを介して、第２のメモリカードが装着可能なカードホルダに接続されてもよい。
【００２６】
制御部６１は明るさセンサー７８に接続されている。これにより周囲の明るさ情報を取得し、例えば画面の明るさを自動制御することが可能である。
【００２７】
制御部６１は、通信Ｉ／Ｆ８１を介して第１のＬＡＮ端子８２に接続されている。これにより、制御部６１は、第１のＬＡＮ端子８２に接続されたＬＡＮ対応のＨＤＤ（ハードディスクドライブ装置）と、通信Ｉ／Ｆ８１を介して情報の送受信を行なうことができる。この場合、制御部６１は、ＤＨＣＰ（Dynamic Host Configuration Protocol）サーバ機能を有し、第１のＬＡＮ端子８２に接続されたＬＡＮ対応のＨＤＤにＩＰ（Internet Protocol）アドレスを割り当てて制御している。制御部６１は、図示していないがさらに別の通信Ｉ／Ｆを介して第２のＬＡＮ端子に接続されてもよい。
【００２８】
制御部６１は、ＵＳＢ Ｉ／Ｆ８３を介してＵＳＢ端子８４に接続されている。これにより、制御部６１は、ＵＳＢ端子８４に接続された各機器と、ＵＳＢ Ｉ／Ｆ８３を介して情報の送受信を行なうことができる。
【００２９】
上記制御部６１は、ｉ．Link（登録商標） Ｉ／Ｆ８５を介してｉ．Link（登録商標）端子８６に接続されている。これにより、制御部６１は、ｉ．Link（登録商標）端子８６に接続された各機器と、ｉ．Link（登録商標）Ｉ／Ｆ８５を介して情報の送受信を行なうことができる。
【００３０】
上記制御部６１は、ＨＤＭＩ（High Definition Multimedia Interface）規格に合致したＨＤＭＩ I/F ８７を介してＨＤＭＩ端子８８に接続された各機器と情報の送受信を行なうことができる。
【００３１】
ところで上記制御部６１には、受信チャンネル制御部６２１、サービス情報保存部６２２、特定局検索部６２３、第1の更新部６２４、第２の更新部６２５、表示制御部６２７、操作入力処理部６２６がさらに含まれる。
【００３２】
受信チャンネル制御部６２１は、受信部が複数局のチャンネルを選択的に選局するように該受信部を制御する。受信部はチューナ４５、５０などである。サービス情報保存部６２２は、複数局のチャンネルの番組に関するサービス情報を保存する部分である。特定局検索部６２３は、受信部の受信チャンネルを切り替えしながら、受信部から得られたチャンネルに含まれる所定の管理情報を解析し、サービス情報として自局と他局のサービス情報を送信している特別局であるかどうかを検索する。第1の更新部６２４は、特別局のチャンネルの受信状態のとき当該チャンネルに含まれる複数局のサービス情報を取得し、サービス情報保存部６２２の各局のサービス情報を更新することができる。一方、第２の更新部６２５は、自局と他局のサービス情報を送信している特別局がなかった場合、複数局をそれぞれ選択的に選局して、サービス情報保存部６２２の各局のサービス情報を更新する。
【００３３】
第1の更新部６２４が動作するタイミングは、例えば装置の電源が投入されたとき、あるいは電源オフ操作がされたときにすぐに電源オフを実行せずにしばらく更新の期間を設定してもよい。第２の更新部６２５が動作するタイミングは、例えば装置のスタンバイ状態のとき、或いは電源オフ操作がされたときにすぐに電源オフを実行せずにしばらく更新の期間を設定してもよい。
【００３４】
さらには、積極的に番組案内情報を更新する操作に基づいて、番組案内情報更新が行われてもよい。これの操作についてはさらに後述する。このときは、さらに操作入力処理部６２６及び表示制御部６２７も動作する。
【００３５】
図２は、上記リモートコントローラ７２の外観を示している。このリモートコントローラ７２には、主として、電源キー１７ａ、入力切換キー１７ｂ、衛星デジタル放送チャンネルのダイレクト選局キー１７ｃ、地上波放送チャンネルのダイレクト選局キー１７ｄ、クイックキー１７ｅ、カーソルキー１７ｆ、決定キー１７ｇ、番組表キー１７ｈ、ページ切換キー１７ｉ、faceネット（ナビゲーション）キー１７ｊ、戻るキー１７ｋ、終了キー１７ｌ、青，赤，緑のカラーキー１７ｍｂ、１７ｍｒ、１７ｍｇ、チャンネルアップダウンキー１７ｎ、音量調整キー１７ｏ等が設けられている。
【００３６】
番組案内情報キー１７ｈを押すと、番組案内情報が表示される。終了キー１７１を押すと、オンエアー（現在受信中のチャンネルの映像の表示）状態に戻る。
【００３７】
図３は上記したデジタルテレビジョン放送受信装置の特徴的な動作を説明する図である。番組取得が開始されると（ステップSA1）、全局（または他の複数の局）のサービス情報を送ってくる局（ここでは特別局と称することにする）のチャンネルを選局できたかどうか判定する（ステップSA2）。特別局が存在したことがわかった場合、当該局で送ってくるサービス情報を取得し、サービス情報保存部６２２に供給し、各局のサービス情報を更新する（ステップSA3）。しかし特別局が存在しなかった場合、受信可能な局のチャンネルを順次受信し、各局のサービス情報を取得し、サービス情報保存部６２２に供給し、各局のサービス情報を更新する（ステップSA4）。
【００３８】
上記動作における選局動作は、受信チャンネル制御部６２１の制御により切り替えられる。また特定局は特定局検索部６２３が判定する。また各局のサービス情報を更新するステップSA3の処理は第1の更新部６２４の動作に基づいて実行され、各局のサービス情報を更新するステップSA4の処理は、第２の更新部６２５の動作に基づいて実行される。
【００３９】
ここで、本発明の装置では、上記したたように、全局（または他の複数の局）のサービス情報を送ってくる局（ここでは特別局と称することにする）のチャンネルを選局できたかどうか判定している。この判定のための情報（例えばフラグ）は、トランスポートパケットストリーム（TS)に含まれる例えばヘッダに記述されている。TSのパケットはヘッダとペイロードが対となっている。ここでヘッダを解析すると、パケット識別情報（PID)が存在する。パケット識別情報を解析するとサービス情報用のパケットであるかどうかを認識することができる。ここでサービス情報用のパケットであった場合、特定のフィールド（例えばオプションで設けたフィールド）のフラグが所定のフラグであるかどうかを判断する。これにより現在受信しているチャンネルが全局（または他の複数の局）のサービス情報を送っているチャンネルであるかどうかを判断することができる。
【００４０】
図４には、ユーザ操作に基づいて、番組案内情報更新が実行されるとき、表示部５７に現れるグラフィックユーザインターフェース（GUI)を示している。まず番組案内情報キー１７ｈを操作し、電子番組案内情報に基づく番組表４１１を表示させる。この状態で、リモートコントローラ７２のクイックキー１７eを押すと、クイックメニュー４１２が現れる。このクイックメニュー４１２には、電子番組案内情報を更新させる項目”EPG Update”があるので、ここにカーソルを移動させて、リモートコントローラ７２の決定キー１７ｇを押す。すると、優先的にサービス情報の取得が開始され、ついで図３で説明したような動作を得ることができる。つまり電子番組案内情報を更新させる項目が、操作入力により選択され指定されたときに、特定局検索部623が起動する。
【００４１】
図４の番組表は、左側の縦方向に局名が示され、横方向に時間帯が示され、各時間帯の番組名が記述されているが、このような形態に限定されるものではない。
【００４２】
上記の説明では、更新されるサービス情報の例として、電子番組案内情報について説明したが、本発明で主張するサービス情報はこれに限定されるものではなく、種々の情報がある。例えば番組配列情報（SI)、番組特定情報（PSI）なども含まれる。PSI（Program Specific Information)は、Program Association Table(PAT), Program Map Table(PMT), Network Information Table(NIT)、Conditional Access Table(CAT)などを含む。PATはストリームに含まれるプログラムを管理する情報、PMTはプログラムを構成するA/Vデータなどを管理する情報、NITはネットワーク関連の設定を管理するための情報、CATは有料放送のための管理情報である。
【００４３】
図５は、本発明の特徴的な他の動作例を説明するフローチャートである。図３のフローチャートに対してさらにステップSB1,SB2,SB3,SB4が追加されている。この実施例は、特別局を選局するためのチャンネル情報をメモリに格納することができる。ステップA2において、全局（または他の複数の局）のサービス情報を送ってくる局（ここでは特別局と称することにする）のチャンネルが存在することが判った場合、当該チャンネル情報をメモリに保存する（ステップSB2）。このようにすることで、番組情報の取得が開始されると、ステップSB1において、既に特別局を受信するためのチャンネル情報が取得されているかどうかが確認できる。すでに特別局を受信するためのチャンネル情報が取得されている場合、当該チャンネル情報を用いて、特別局のチャンネル受信を行い、サービス情報に関するフラグを検出する。そして、このフラグは全局（または他の複数の局）のサービス情報を送ってくる局であることを示す内容であるかどうかを確認する（ステップSB3）。この確認結果により、現在の受信チャンネルで、全局（または他の複数の局）のサービス情報の取得が可能か否か決定される。現在の受信チャンネルでOKの場合は、ステップSA3に移行し、現在の受信チャンネルでNGの場合は、ステップSA4に移行する。        
【産業上の利用可能性】
【００４４】
上記したようにこの発明は、映像信号処理装置及びデジタルテレビジョン放送受信装置に用いて有効である。またこの発明は、記録再生装置、セットトップボックスなどにも適用されて有用である。
【符号の説明】
【００４５】
４５・・・衛星デジタル放送用のチューナ、４６・・・ＰＳＫ復調器、４７・・・信号処理部、４８・・・地上デジタル放送受信用のアンテナ、５１・・・ＯＦＤＭ復調器、５２・・・グラフィック処理部、５３・・・音声処理部、５４・・・ＯＳＤ信号生成部、５５・・・映像処理部、５６・・・スピーカ、５７・・・映像表示器、６１・・・制御部、６２１・・・受信チャンネル制御部、６２２・・・サービス情報保存部、６２３・・・特定局検索部、６２４・・・第1の更新部、６２５・・・第２の更新部、６２６・・・操作入力処理部、６２７・・・表示制御部、７２・・・リモートコントローラ。
【図１】
2010206387.tif 000003
【図２】
2010206387.tif 000004
【図３】
2010206387.tif 000005
【図４】
2010206387.tif 000006
【図５】
2010206387.tif 000007